(57)【要約】      （修正有）【課題】複数のトイレットペーパーを収納可能にするとともに、収納された複数のトイレットペーパーを１つずつ取り出すことが可能なトイレットペーパーの収納ケースを提供する。【解決手段】収納ケースは、トイレットペーパーＴを収納するための収納口７と、トイレットペーパーＴを取り出すための取出口１１とを有し、かつ複数のトイレットペーパーＴを収納可能なケース本体１と、ケース本体１の収納口７と取出口１１との間に設けられるとともに、かつ複数のトイレットペーパーＴを１つずつ取出口１１から取り出し可能にする取出手段２とを備える。【選択図】図１
0003147214.tif 000002
【実用新案登録請求の範囲】
【請求項１】
トイレットペーパーを収納するための収納口と、トイレットペーパーを取り出すための取出口とを有し、かつ複数のトイレットペーパーを収納可能なケース本体と、
ケース本体の収納口と取出口との間に設けられ、かつ複数のトイレットペーパーを１つずつ取出口から取り出し可能にする取出手段と、
を備えることを特徴とするトイレットペーパーの収納ケース。
【請求項２】
前記取出手段は、ケース本体内で回転可能な軸部と、この軸部に設けられるとともに、ケース本体内のトイレットペーパーに当接する突起部と、軸部を回転させるためのハンドルとを備え、
突起部は、ハンドルの回転に伴って軸部を所定の方向に回転させたときに、トイレットペーパーを取出口に送るようにすべく、軸部とともに回転するように構成されてなる請求項１に記載のトイレットペーパーの収納ケース。
【請求項３】
前記ケース本体は、取出口に対して開閉自在な蓋部を備える請求項１または２に記載のトイレットペーパーの収納ケース。
【請求項４】
前記ケース本体は、収納口に対して開閉自在な蓋部を備える請求項１から３のいずれか１項に記載のトイレットペーパーの収納ケース。
【考案の詳細な説明】
【技術分野】
【０００１】
本考案は、例えば、複数のトイレットペーパーを収納可能な収納ケースに関する。
【背景技術】
【０００２】
従来、トイレットペーパーは、トイレの壁面に設けられたホルダに回転自在に保持されて使用されている。ホルダに保持されたトイレットペーパーが全て使用されると、ホルダからトイレットペーパーの芯部材を取り外すともに、新たなトイレットペーパーに交換される。
【考案の開示】
【考案が解決しようとする課題】
【０００３】
このように、トイレットペーパーは、ホルダに保持されたものがなくなると、予備のトイレットペーパーをホルダに取り付けることが必要になるが、従来は、この予備のトイレットペーパーを山積みにしてしまっていたため、見栄えが悪く、しかも、山積みにされた予備のトイレットペーパーが崩れた場合には、再度積み直す必要があり、この点において面倒なものであった。
【０００４】
本考案はこのような事情に鑑みてなされたものであり、複数のトイレットペーパーを収納可能にするとともに、収納された複数のトイレットペーパーを１つずつ取り出すことが可能なトイレットペーパーの収納ケースを提供することを課題とする。
【課題を解決するための手段】
【０００５】
本考案は上記の課題を解決するために以下の技術的手段を講じた。
【０００６】
すなわち、本考案に係るトイレットペーパーの収納ケースは、トイレットペーパーを収納するための収納口と、トイレットペーパーを取り出すための取出口とを有し、かつ複数のトイレットペーパーを収納可能なケース本体と、ケース本体の収納口と取出口との間に設けられ、かつ複数のトイレットペーパーを１つずつ取出口から取り出し可能にする取出手段と、を備えることを特徴とする。
【０００７】
かかる構成によれば、ケース本体に複数のトイレットペーパーを収納できるとともに、取出手段によって、ケース本体のトイレットペーパーを１つずつ取出口から取り出すことができるようになる。
【０００８】
また、本考案は、前記取出手段が、ケース本体内で回転可能な軸部と、この軸部に設けられるとともに、ケース本体内のトイレットペーパーに当接する突起部と、軸部を回転させるためのハンドルとを備え、突起部が、ハンドルの回転に伴って軸部を所定の方向に回転させたときに、トイレットペーパーを取出口に送るようにすべく、軸部とともに回転するように構成されることが望ましい。
【０００９】
かかる構成によれば、ハンドルを回転させることによって、軸部とともに突起部を軸部の軸心まわりに回転させることで、トイレットペーパーを１つずつ取出口に送ることができ、これによって、取出口からトイレットペーパーを１つずつ確実に取り出すことができるようになる。
【００１０】
また、本考案は、前記ケース本体が、取出口に対して開閉自在な蓋部を備える構成を採用できる。
【００１１】
かかる構成によれば、不使用時に取出口をこの蓋部で閉塞することによって、取出口から不測にトイレットペーパーが出ることを防止できる。
【００１２】
また、本考案は、前記ケース本体が、収納口に対して開閉自在な蓋部を備える構成を採用できる。
【００１３】
かかる構成によれば、収納口からトイレットペーパー以外の異物がケース本体内に侵入（混入）することを防止できるようになる。
【考案の効果】
【００１４】
本考案によれば、複数のトイレットペーパーを収納可能にするとともに、収納された複数のトイレットペーパーを１つずつ取り出すことができるようになる。
【考案を実施するための最良の形態】
【００１５】
以下、本考案を実施するための最良の形態を、図面に基づき説明する。
【００１６】
図１〜図３は、本考案に係るトイレットペーパーの収納ケース（以下、単に「収納ケース」という）の第１実施形態を示している。
【００１７】
図１に示すように、収納ケースは、複数のトイレットペーパーＴを収納するためのケース本体１と、ケース本体１に収納されているトイレットペーパーＴを１つずつ外部に取り出すための取出手段２とを備える。
【００１８】
ケース本体１は、木材によって、長尺の四角筒状（図２参照）に構成されており、その内部に、４つの側壁部３ａ〜３ｄで囲まれた、トイレットペーパーＴの収納空間４が形成されている。以下、４つの側壁部について、正面（図１）側のものを第１側壁部３ａといい、その他の側壁部については、図２における平面断面図において、第１側壁部３ａを基準として、時計回りに、順に、第２側壁部３ｂ、第３側壁部３ｃ、及び第４側壁部３ｄという。
【００１９】
ケース本体１は、その長手方向が上下方向に向いて、床面に載置されるように構成されている。ケース本体１の下部には、このケース本体１を支持する複数（図例では４つ）の支持脚部５，５，…が設けられている。また、四角筒状とされたケース本体１の第１側壁部３ａには、ケース本体１の内部を確認するための窓部６が形成されている。窓部６は、この第１側壁部３ａに長尺状の貫通孔を形成し、この貫通孔を透明又は半透明の樹脂板等により覆うことで構成される。
【００２０】
ケース本体１の上部には、ケース本体１内にトイレットペーパーＴを入れて収納させるための収納口７が形成されている。この収納口７は、四角筒状のケース本体１の一端部の開口部である。また、このケース本体１の上部には、この収納口７に対して開閉時自在な蓋部（以下「収納口用蓋部」という）８が形成されている。
【００２１】
この収納口用蓋部８は、図１に示すように、ケース本体１に設けられた枢支軸９によって支持されることで、この枢支軸９まわりに回動自在に構成され、この回動によって、収納部を開放・閉塞できるようになっている。収納口用蓋部８の外面には、収納口用蓋部８を開閉するように操作するための操作部１０が設けられている。
【００２２】
収納口用蓋部８は、前記操作部１０を操作して、前記枢支軸９まわりに、かつ時計回りに回動されることで、収納口７から離れ、逆に反時計回りに回動させることで、収納口７を閉塞するようになっている。
【００２３】
なお、第４側壁部３ｄは、他の側壁部３ａ〜３ｃよりも長さが長く構成されており、その一端部３ｅが、他の側壁部３ａ〜３ｃの一端部よりも突出して構成されている。前記収納口用蓋部８を時計回りに回動させて開いたとき、この収納口用蓋部８は、前記第４側壁部３ｄの突出端部３ｅに当接するようになっている。すなわち、この第４側壁部３ｄの突出端部３ｅは、その側面が、収納口７からトイレットペーパーを収納できる程度に、収納口用蓋部８が開いたとき、この収納口用蓋部８に接触して停止させるストッパとして機能する。
【００２４】
ケース本体１の下部には、ケース本体１内のトイレットペーパーＴを取り出すための取出口１１が形成されている。この取出口１１は、ケース本体１の第２側壁部３ｂに下部に四角形状の貫通孔を形成することにより構成される。また、ケース本体１の下部には、この取出口１１に対して開閉自在な蓋部（以下「取出口用蓋部」という）１２が設けられている。この取出口用蓋部１２は、取出口１１を閉塞する閉塞部１３と、この閉塞部１３を所定の方向に往復可能に支持する支持部１４とを有する。
【００２５】
取出口用蓋部１２の閉塞部１３は、四角形状の取出口１１を閉塞するように、取出口１１よりも大きな四角形状に構成されている。閉塞部１３は、図１において実線で示すように、取出口１１を閉塞している状態において、その外面が、第２側壁部３ｂの外面と面一になるように構成されている。なお、この閉塞部１３の外面には、この閉塞部１３を操作するための操作部１５が設けられている。
【００２６】
取出口用蓋部１２の支持部１４は、板状に構成されており、図１に示すように、閉塞部１３に対してほぼ直交するように、この閉塞部１３と一体に設けられている。ケース本体１には、この支持部１４を収納するための収納空間２１が形成されている。支持部１４は、この収納空間２１に収納可能に構成されている。
【００２７】
支持部１４の収納空間２１は、図１に示すように、ケース本体１において上下方向に間隔をおいて、しかも、このケース本体１の長手方向に直交するように設けられた２枚の板部材によって形成される。２枚の板部材の内、上側の板部材（以下「第１板部材」という）２２は、その上面が、トイレットペーパーＴの収納空間４の底部を構成し、その下面が下側の板部材（以下「第２板部材」という）２３の上面と対向している。
【００２８】
第２板部材２３は、四角筒状の本体ケースの下端部の開口部を閉塞するように設けられている。この第２板部材２３は、本体ケースの長手方向（上下方向）において、その上面が、第１板部材２２の下面と対向している。
【００２９】
前記支持部１４は、上記の第１板部材２２の下面に案内されて水平方向にスライドできるようになっている。すなわち、第１板部材２２の下面は、この支持部１４を水平方向にスライドするように案内する案内面となっている。
【００３０】
さらに、ケース本体１は、支持部１４を収納空間２１に収納するとともに、ケース本体１の上下方向に直交する水平方向にスライド自在に移動できるように、この支持部１４を保持している。支持部１４の端部には、収納空間２１から完全に抜けはずれることがないように、第２側壁部３ｂ（の内面側）に引っ掛かって支持部１４を掛止する掛止部１６が設けられている。
【００３１】
なお、第１板部材２２の上面と、第４側壁部３ｄの内面３ｆとの間には、トイレットペーパーＴを取出口１１へと案内する案内部材２６が設けられている。この案内部材２６は、トイレットペーパーＴを取出口１１に案内する案内面２７を有する。この案内面２７は、所定の曲率半径による湾曲面となっており、さらに、第４側壁部３ｄから第２側壁部３ｂに向かうにつれて、下方に傾斜する傾斜面となっている。
【００３２】
トイレットペーパーＴを取り出すための取出手段２は、ケース本体１の収納口７と、取出口１１との間に設けられている。図１、図２に示すように、取出手段２は、ケース本体１内で回転可能な軸部３１と、この軸部３１に設けられるとともに、ケース本体１内のトイレットペーパーＴに当接する突起部３２と、軸部３１を回転させるためのハンドル３３とを備える。
【００３３】
軸部３１は、例えば木材によって円柱状に構成されており、その軸心方向の一端部３１ａが、第１側壁部３ａに形成された貫通孔３５に挿通され、その軸心方向の他端部３１ｂが、第１側壁部３ａと対向する第３側壁部３ｃに形成された貫通孔３６に挿通されている。これにより、軸部３１は、第１側壁部３ａと第３側壁部３ｃとによって、その軸心まわりに回転自在に支持されている。軸部３１の軸心方向の前記一端部３１ａは、第１側壁部３ａの外面よりも外方に突出しており、この突出している部分に前記ハンドル３３が取り付けられている。
【００３４】
図２、図３に示すように、軸部３１には複数の突起部３２が設けられている。この突起部３２は、複数の列となって軸部３１に設けられている。本実施形態では、軸部３１に４列の突起部３２の列が設けられている。この突起部３２の列は、本実施形態では、軸部３１の周方向において、約９０°の等角度で配列されている。したがって、この軸部３１を、図３には、軸方向の端部側から見たときに、４列の突起部３２に対応する４つの突起部３２、３２、…が現れている。
【００３５】
各突起部３２は、図２に示すように、断面円形のコ字状の線材からなり、この線材の２つの突端部が軸部３１に埋め込まれる（又は打ち付けられる）ことにより、軸部３１に固定されている。また、この突起部３２は、その折曲部が円弧状になっている。このような構成により、突起部３２は、トイレットペーパーＴに当接したときに傷をつけないようになっている。
【００３６】
図３に示すように、ケース本体１は、軸部３１の突起部３２と、この軸部３１に対向する第４側壁部３ｄの内面３ｆとによってトイレットペーパーＴを挟んで係止することで、このトイレットペーパーＴを保持するようになっている。すなわち、トイレットペーパーＴを保持している状態では、突起部３２と第４側壁部３ｄの内面３ｆとの間隔は、トイレットペーパーＴの外径よりも小さくなっている。
【００３７】
また、軸部３１と第４側壁部３ｄとの内面との間隔は、この間をトイレットペーパーＴが通過することができるように、トイレットペーパーＴの外径よりも若干大きくされていることが望ましい。
【００３８】
前記ハンドル３３は、グリップ部４１と、このグリップ部４１と軸部３１の端部とを連結する連結部４２とを有する。ハンドル３３は、グリップ部４１を軸部３１まわりに回転（公転）させることで、軸部３１をその軸心まわりに回転させることができる。
【００３９】
以下、上記構成の収納ケースの使用方法について説明する。
【００４０】
まず、ケース本体１内に複数のトイレットペーパーＴを収納する。すなわち、操作部１０を操作することにより、収納口７を閉塞している収納口用蓋部８を図１における時計回りの方向に回動させ、収納口７が開いた状態にする。そして、この収納口７を介してケース本体１に複数のトイレットペーパーＴを入れる。
【００４１】
所定の数のトイレットペーパーＴがケース本体１に収納された時点で、再び、収納口用蓋部８を反時計まわりに回動させて、収納口７を閉じる。これにより、ケース本体１が複数のトイレットペーパーＴを収納して待機する待機状態となる。上記のように、トイレットペーパーＴをケース本体１に入れる場合、および待機状態においては、前記取出口用蓋部１２は、閉塞部１３が取出口１１を閉塞した状態となっている。
【００４２】
トイレットペーパーＴが必要になったとき、取出口用蓋部１２を操作して、取出口１１を開いた状態にする。具体的には、閉塞部１３に設けられている操作部１５を摘んで閉塞部１３が第２側壁部３ｂから離れる方向（水平方向）に引っ張り、支持部１４をスライドさせながら、取出口用蓋部１２を移動させる。このように移動させると、支持部１４が第２側壁部３ｂから突出し、閉塞部１３が第２側壁部３ｂから所定間隔離れた状態となり（図１の二点鎖線の状態を参照）、取出口１１が開いた状態となる。
【００４３】
次に、取出手段２のハンドル３３を時計方向に回転させる。そうすると、ハンドル３３と共に軸部３１も反時計回りに回転する。軸部３１の回転に伴って、各列の各突起部３２がトイレットペーパーＴに順次当接していく。このとき、トイレットペーパーＴは柔軟な紙をロール状に構成したものであるので、突起部３２は、トイレットペーパーＴの表面が凹むように、このトイレットペーパーＴに食い込みながら軸部３１の軸心まわりに回転する。なお、突起部３２は、断面円形の線材をコ字状にするとともに、その折曲部が円弧状に形成されていることから、トイレットペーパーＴを傷つけることなく、このトイレットペーパーＴに食い込む。
【００４４】
突起部３２のトイレットペーパーＴへの食い込み、および時計方向に回転することよって、トイレットペーパーＴは、徐々に下方に押されていく。そして、トイレットペーパーＴの中心が、軸部３１の軸心よりも下方に移動したとき、トイレットペーパーＴは、突起部３２から離れて落下する。このようにして、突起部３２は、保持していたトイレットペーパーＴを取出口１１に向けて送り出すのである。その後、この落下したトイレットペーパーＴの上に載っていた次のトイレットペーパーＴが別の突起部３２によって保持される。
【００４５】
落下したトイレットペーパーＴは、案内部材２６の案内面２７上に落下し、この案内面２７に案内されて取出口１１に向かって転がる。そして取出口１１を通過してケース本体１の外部へと出る。図１に示すように、取出口１１から転がり出たトイレットペーパーＴは、取出口用蓋部１２の支持部１４の上面によって受け止められる。また、取出口１１から転がり出たトイレットペーパーＴは、閉塞部１３に当たることで、その回転が止められる。これにより、トイレットペーパーＴは、支持部１４を上面に載った状態で、取出口１１から取り出された状態となる。
【００４６】
このように、閉塞部１３は、取出口１１を閉塞するだけでなく、取出口１１から転がり出たトイレットペーパーＴを動きを止めるストッパ（停止部）としても機能する。さらに、閉塞部１３を支持する支持部１４は、取出口１１から転がり出たトイレットペーパーＴを受け止める受け部としても機能する。
【００４７】
以上説明した上記構成の収納ケースによれば、ケース本体１が長尺状の四角筒状に構成されていることから、このケース本体１内に複数のトイレットペーパーＴを収納することができる。しかも、取出手段２によって、ケース本体１内の複数のトイレットペーパーＴを１つずつ取出口１１から取り出すことができ、この点において、収納ケースは、非常に利便性の高いものになる。特に、取出手段２のハンドル３３を回転させるだけで、軸部３１及び突起部３２に所定の回転をさせて、トイレットペーパーＴを容易に取り出すことができるようになる。
【００４８】
また、突起部３２と、ケース本体１の第４側壁部３ｄの内面３ｆとの間隔がトイレットペーパーＴの外径よりも小さくされることで、この突起部３２と第４側壁部３ｄの内面３ｆとによってトイレットペーパーＴを挟むようにして保持することができ、この保持状態から軸部３１及び突起部３２の所定の回転によって、トイレットペーパーＴを１つずつ確実に取出口１１に送ることができるようになる。
【００４９】
また、突起部３２は、断面円形で、しかもその折曲部が円弧状に曲がって形成されていることから、トイレットペーパーＴに当接した際に、これを傷つけることがない。
【００５０】
また、ケース本体１の取出口１１に対して開閉自在な取出口用蓋部１２を設け、この蓋部によって取出口１１を閉塞することによって、取出口１１から不測にトイレットペーパーＴが転がり出ることを防止できる。
【００５１】
さらに、この取出口用蓋部１２は、支持部１４が取出口１１から転がり出たトイレットペーパーＴを受け止める受け部となり、しかも、閉塞部１３が、取出口１１から転がり出たトイレットペーパーＴの動きと止めるストッパ（停止部）となっていることから、取出口１１から出たトイレットペーパーＴを所定の位置（支持部１４の上面位置）に留め置くことができ、この点においても非常に利便性の高いものとなる。
【００５２】
また、ケース本体１の収納口７に対して開閉自在な収納口用蓋部８を設けることによって、収納口７からケース本体１内に異物が混入することを確実に防止でき、しかも見た目に美しいものとなる。
【００５３】
図４は、本考案に係る収納ケースの第２実施形態を示している。上述した第１実施形態では、取出手段２の突起部３２と、第４側壁部３ｄの内面３ｆとによって、トイレットペーパーＴを保持していたが、この第２実施形態では、第４側壁部３ｄの内面３ｆに、トイレットペーパーＴを係止する係止部４５が形成されており、この点において、第１実施形態と異なる。
【００５４】
係止部４５は、弾性変形可能な弾性体によって板状に構成されている。この係止部４５は、トイレットペーパーＴに当接する当接面４６を有する。当接面４６は、トイレットペーパーＴの外面に係合するように湾曲して形成されている。
【００５５】
係止部４５は、その一端部（上端部）４５ａが第４側壁部３ｄの内面３ｆに固定されており、その他端部（下端部）４５ｂが、第２側壁部３ｂの内面から離れて位置している。
【００５６】
図４に示すように、第２実施形態に係る収納ケースは、取出手段２の軸部３１の突起部３２がトイレットペーパーＴに当接し、かつ、係止部４５の当接面４６がトイレットペーパーＴに当接した状態で、トイレットペーパーＴを及び上方の複数のトイレットペーパーＴをも保持している。
【００５７】
以下、第３実施形態に係る収納ケースからトイレットペーパーＴを取り出す場合について説明する。
【００５８】
図４に示すトイレットペーパーＴの保持状態から、ハンドル３３を介して軸部３１を時計回りに回転させると、軸部３１に設けられている突起部３２が、順次トイレットペーパーＴに当接していき、トイレットペーパーＴを下方へと押し下げる。このとき、係止部４５は、突起部３２がトイレットペーパーＴを押し下げる力を介して、トイレットペーパーＴの外面によってその当接面４６が押され、第４側壁部３ｄの内面３ｆから離れている方の端部３１ｂが、この第４側壁部３ｄの内面３ｆに近づくように、弾性変形する。
【００５９】
これにより、軸部３１に設けられている突起部３２と、係止部４５の当接面４６との間隔が広がり、トイレットペーパーＴは、この突起部３２と係止部４５の間を通過して、下方に落下し、案内面２７に案内されて取出口１１から転がり出ることとなり、以上によって、トイレットペーパーＴが取出口１１から取り出される。
【００６０】
上記構成の収納ケースによれば、例えば、トイレットペーパーＴの種類によって、外径の大きいタイプのものや、外径の小さいタイプのものが混在してケース本体１に収納された場合であっても、軸部３１の突起部３２と係止部４５とによって、確実にこれらを保持することができる。
【００６１】
しかも、係止部４５が弾性変形可能に構成されていることから、外径の大きいもの、小さいものが混在している場合であっても、軸部３１の回転に応じて係止部４５が弾性変形することで、外径の大小異なるトイレットペーパーＴの保持、及び取出口１１への送り出しに対応できるようになる。
【００６２】
第２実施形態のその他の構成は、第１実施形態と同様の構成であり、第２実施形態においても、第１実施形態と同様の使用方法により、トイレットペーパーＴを収納し、取り出すことができる。第２実施形態において第１実地形態と共通する要素には、共通符号を付して、その説明を割愛する。第２実施形態においても、第１実施形態と同様な作用効果を奏する。
【００６３】
図５は、本考案の第３実施形態を示している。第３実施形態に係る収納ケースでは、ハンドル３３を固定・固定解除可能な固定手段４７がケース本体１に設けられており、この点が第１形態と異なる。
【００６４】
図５に示すように、固定手段４７は、ケース本体１の第１側壁部３ａに設けられている。この固定手段４７は、ハンドル３３のグリップ部４１を掛止・掛止解除可能な掛止部４８と、この掛止部４８を枢支する枢支軸４９とを有する。
【００６５】
図５は、掛止部４８がハンドル３３のグリップ部４１を掛止した状態（実線で示す）を示している。このように掛止部４８は、その一端部が枢支軸４９に枢支されるとともに、他端部がフック状に形成されている。係止部４５のフック状の端部がグリップ部４１を掛止することにより、ハンドル３３は回転不能に固定される。
【００６６】
この掛止部４８は、枢支軸４９まわりに回転可能とされているので、グリップ部４１を掛止している掛止状態から、この掛止部４８を時計回りに回転させることで、グリップ部４１の掛止を解除することができる。この解除した状態から掛止部４８を反時計回りに回転させると、ハンドル３３のグリップ部４１を掛止することができる。
【００６７】
このように、掛止手段を介してハンドル３３を回転不能に固定しておくことによって、軸部３１が不測に回転しないように固定することができ、例えば、収納口７からトイレットペーパーＴを入れたときに、このトイレットペーパーＴは、軸部３１の位置まで落下することになるが、この落下してきたトイレットペーパーＴが軸部３１に衝突した際に、軸部３１が動くことがなく、トイレットペーパーＴを軸部３１によって確実に受け止めることができるようになり、収納ケースは、この点において特に有用なものとなる。
【００６８】
第３実施形態のその他の構成は、第１実施形態と同様の構成であり、第３実施形態においても、第１実施形態と同様の使用方法により、トイレットペーパーＴを収納し、取り出すことができる。第３実施形態において第１実地形態と共通する要素には、共通符号を付して、その説明を割愛する。第３実施形態においても第１実施形態と同様な作用効果を奏する。
【００６９】
なお、本考案は上記の実施形態に限らず、種々の変更・変形が可能である。
【００７０】
例えば、上記の実施形態では、軸部３１に４列の突起部３２の列が形成された例を示したが、この列の数は、例えば２、３、または５以上であってもよい。また、突起部３２は、コ字状の線状部材を例示したが、これに限らず、要は、軸部３１から突出してトイレットペーパーＴに当接できる構成であればどのような形状であってもよい。
【００７１】
また、上記の実施形態では、突起部３２を軸部３１の周方向に９０°ごとの列として設けた例を示したが、この角度に限らず、種々の角度ごとに設けるようにしても良い。
【００７２】
上記の実施形態では、四角筒状のケース本体１を例示したが、これに限らず、他の多角形筒状、円筒状その他の種々の形状を採用できる。
【００７３】
上記の第１実施形態は、第３実施形態に例示した固定手段４７を有していないが、この固定手段４７がなくとも、軸部３１は収納口７に入れられて落下してきたトイレットペーパーＴを受け止めることができる。すなわち、例えば、トイレットペーパーＴを収納口７に入れる際に、ハンドル３３を把持して動かないように固定したり、又は、落下してきたトイレットペーパーＴが衝突したときに、軸部３１が回転しないような抵抗を軸部３１に与えておき、トイレットペーパーＴを取り出したいときには、この回転抵抗よりも大きな力で、ハンドル３３を回転させるようにしたりすれば良い。
【００７４】
上記のように説明したケース本体、軸部等は、木材に限らず、金属、合成樹脂その他の種々の材料によって製造可能である。
【００７５】
上記の実施形態では、軸部３１が円柱状に構成された例を示したが、これに限らず、軸部３１を、円筒状、多角柱状、多角筒状、楕円筒状、楕円柱状、板状、断面異形形状その他の種々の形状に構成され得る。
【００７６】
上記実施形態では、床置きタイプの収納ケースを例示したが、これに限らず、例えば、壁等にフック等の掛止部材を設けておくとともに、ケース本体１の第４側壁部３ｄの突出端部（上端部）に貫通孔を形成し、貫通孔に掛止部材を掛けることにより、収納ケースを壁掛けタイプとして使用することも可能である。
【図面の簡単な説明】
【００７７】
【図１】第１実施形態に係る収納ケースの正面図である。
【図２】図１のＡ−Ａ矢視線断面図である。
【図３】収納ケースの内部構造を示す要部拡大断面図である。
【図４】第２実施形態に係る収納ケースの正面図である。
【図５】第３実施形態に係る収納ケースの正面図である。
【符号の説明】
【００７８】
１…ケース本体、２…取出手段、３（３ａ〜３ｄ）…側壁部（第１側壁部〜第４側壁部）、３ｅ…第４側壁部の突出端部、３ｆ…第４側壁部の内面、４…収納空間、５…支持脚部、６…窓部、７…収納口、８…蓋部、９…枢支軸、１０…操作部、１１…取出口、１２…蓋部、１３…閉塞部、１４…支持部、１５…操作部、１１６…掛止部、２１…収納空間、２２…第１板部材、２３…第２板部材、２６…案内部材、２７…案内面、３１…軸部、３１ａ…軸部の一端部、３１ｂ…軸部の他端部、３２…突起部、３３…ハンドル、３５…貫通孔、３６…貫通孔、４１…グリップ部、４２…連結部、４５…係止部、４５ａ…係止部の一端部、４５ｂ…係止部の他端部、４６…当接面、４７…固定手段、４８…掛止部、４９…枢支軸
【図１】
0003147214.tif 000003
【図２】
0003147214.tif 000004
【図３】
0003147214.tif 000005
【図４】
0003147214.tif 000006
【図５】
0003147214.tif 000007